(57)【要約】【課題】原稿台に載置された原稿がブック原稿であるか否かを特別なセンサーを用いることなく判定することのできる画像読取装置、画像形成装置、及び画像読取方法を提供すること。【解決手段】原稿が載置される原稿載置面１１１を有する原稿台１１に対して開閉可能であり原稿台１１に対向する色基準面２６に色基準面２６とは異なる予め定められた濃度の部分領域２７が設けられたＡＤＦ２を備えた画像読取装置において、ＡＤＦ２の色基準面２６及び部分領域２７から画像読取部１により画像データを読み取り、その読み取られた画像データにおける色基準面２６の濃度と部分領域２７の濃度との濃度差が予め設定された閾値以下である場合に、原稿載置面１１１に載置された原稿がブック原稿であると判定する。【選択図】図２
2014165715.tif 000002
【特許請求の範囲】
【請求項１】
原稿が載置される原稿載置面を有する原稿台と、
前記原稿載置面に載置された原稿に前記原稿載置面を透過して光が照射されたときの反射光に基づいて前記原稿から画像データを読み取る画像読取手段と、
前記原稿台に対して開閉可能であり前記原稿台に対向する色基準面に前記色基準面とは異なる予め定められた濃度の部分領域が設けられたカバー部材と、
前記カバー部材の前記色基準面及び前記部分領域から前記画像読取手段により画像データを読み取る読取制御手段と、
前記読取制御手段により読み取られた前記画像データにおける前記色基準面の濃度と前記部分領域の濃度との濃度差が予め設定された閾値以下である場合に前記原稿載置面に載置された前記原稿がブック原稿であると判定する原稿判定手段と、
を備えた画像読取装置。
【請求項２】
前記原稿判定手段が、前記濃度差が前記閾値以下であり、且つ前記画像読取手段により前記原稿から読み取られた画像データに予め設定された帯状画像が存在する場合に前記原稿載置面に載置された原稿がブック原稿であると判定する請求項１に記載の画像読取装置。
【請求項３】
前記原稿判定手段が、前記画像データを１ライン毎に平均化した平均化データにおいて、予め設定された高濃度のラインが所定数以上連続する場合、又は、予め設定された所定領域内に予め設定された高濃度のラインが所定数以上存在する場合に、前記画像データに前記帯状画像が存在すると判断する請求項２に記載の画像読取装置。
【請求項４】
前記原稿判定手段により前記原稿がブック原稿であると判定された場合に、前記画像データにおける前記帯状画像の濃度を予め設定された濃度に置換する濃度置換手段を備えた請求項１〜３のいずれかに記載の画像読取装置。
【請求項５】
原稿を前記画像読取手段による画像データの読取位置を通過させて搬送する原稿搬送部を備え、
前記原稿台が、前記原稿搬送部により搬送される原稿に対して前記画像読取手段から照射される光を透過する搬送読取面を有し、
前記色基準面及び前記部分領域が、前記搬送読取面に対向する位置に設けられた請求項１〜４のいずれかに記載の画像読取装置。
【請求項６】
前記部分領域が、前記原稿搬送部により搬送可能な原稿の最小サイズの範囲内に対応する位置に設けられている請求項５に記載の画像読取装置。
【請求項７】
前記原稿搬送部が前記カバー部材を兼ねた請求項５又は６に記載の画像読取装置。
【請求項８】
請求項１〜７のいずれかに記載の画像読取装置を備えた画像形成装置。
【請求項９】
原稿が載置される原稿載置面を有する原稿台と、前記原稿載置面に載置された原稿に前記原稿載置面を透過して光が照射されたときの反射光に基づいて前記原稿から画像データを読み取る画像読取手段と、前記原稿台に対して開閉可能であり前記原稿台に対向する色基準面に前記色基準面とは異なる予め定められた濃度の部分領域が設けられたカバー部材とを備えた画像読取装置において実行される画像読取方法であって、
前記カバー部材の前記色基準面及び前記部分領域から前記画像読取手段により画像データを読み取る読取制御ステップと、
前記読取制御ステップにより読み取られた前記画像データにおける前記色基準面の濃度と前記部分領域の濃度との濃度差が予め設定された閾値以下である場合に前記原稿載置面に載置された原稿がブック原稿であると判定する原稿判定ステップと、
を含む画像読取方法。
【発明の詳細な説明】
【技術分野】
【０００１】
本発明は、原稿台に載置された原稿から画像データを読み取る画像読取装置に関するものである。
【背景技術】
【０００２】
一般に、原稿台に載置された原稿に下方から光を照射したときの反射光をＣＣＤ等の光電変換素子で受光することにより原稿から画像データを読み取る画像読取装置が知られている。この種の画像読取装置を用いて、複数枚の用紙が中央で綴じられた本などの厚みのある原稿（以下「ブック原稿」という）から画像データを読み取る際には、原稿台とブック原稿の中央部との間に隙間が生じる。そのため、ブック原稿の中央部からの反射光の光量が減少し、画像読取装置で読み取られた画像データではブック原稿の中央部に黒色の帯状画像が現れる。これに対し、原稿台に載置された原稿がブック原稿であるか否かを判定するための特別なセンサーを備え、原稿がブック原稿であると判定した場合に黒色の帯状画像を白帯部に変えて印刷する画像形成装置が知られている（例えば特許文献１参照）。
【先行技術文献】
【特許文献】
【０００３】
【特許文献１】特開平１１−１０９７２７公報
【発明の概要】
【発明が解決しようとする課題】
【０００４】
しかしながら、前記特許文献１に係る技術では、原稿台に載置された原稿がブック原稿であるか否かを判定するための特別なセンサーを新たに設ける必要がある。
本発明の目的は、原稿台に載置された原稿がブック原稿であるか否かを特別なセンサーを用いることなく判定することのできる画像読取装置、画像形成装置、及び画像読取方法を提供することにある。
【課題を解決するための手段】
【０００５】
本発明は、原稿台、画像読取手段、カバー部材、読取制御手段、及び原稿判定手段を備えた画像読取装置である。前記原稿台は、原稿が載置される原稿載置面を有する。前記画像読取手段は、前記原稿載置面に載置された原稿に前記原稿載置面を透過して光が照射されたときの反射光に基づいて前記原稿から画像データを読み取る。前記カバー部材は前記原稿台に対して開閉可能である。前記カバー部材の前記原稿台に対向する色基準面には前記色基準面とは異なる予め定められた濃度の部分領域が設けられている。前記読取制御手段は、前記カバー部材の前記色基準面及び前記部分領域から前記画像読取手段により画像データを読み取る。前記原稿判定手段は、前記読取制御手段により読み取られた前記画像データにおける前記色基準面の濃度と前記部分領域の濃度との濃度差が予め設定された閾値以下である場合に前記原稿載置面に載置された前記原稿がブック原稿であると判定する。
また、本発明は、前記画像読取装置を備えた画像形成装置である。
さらに、本発明は、原稿台、画像読取手段、及びカバー部材を備えた画像読取装置置において読取制御ステップ及び原稿判定ステップを実行する画像読取方法である。前記原稿台は、原稿が載置される原稿載置面を有する。前記画像読取手段は、前記原稿載置面に載置された原稿に前記原稿載置面を透過して光が照射されたときの反射光に基づいて前記原稿から画像データを読み取る。前記カバー部材は前記原稿台に対して開閉可能である。前記カバー部材の前記原稿台に対向する色基準面には前記色基準面とは異なる予め定められた濃度の部分領域が設けられている。前記読取制御ステップは、前記カバー部材の前記色基準面及び前記部分領域から前記画像読取手段により画像データを読み取る。前記原稿判定ステップは、前記読取制御ステップにより読み取られた前記画像データにおける前記色基準面の濃度と前記部分領域の濃度との濃度差が予め設定された閾値以下である場合に前記原稿載置面に載置された前記原稿がブック原稿であると判定する。
【発明の効果】
【０００６】
本発明によれば、原稿載置面に載置された原稿がブック原稿であるか否かを特別なセンサーを用いることなく判定することができる。
【図面の簡単な説明】
【０００７】
【図１】本発明の実施の形態に係る複合機の構成図。
【図２】本発明の実施の形態に係る複合機の要部を示す模式図。
【図３】ブック原稿から読み取られた画像データの一例を示す図。
【図４】画像読取処理の手順の一例を説明するためのフローチャート。
【図５】部分領域の濃度の読取結果の一例を示す図。
【図６】画像読取処理の実行結果の一例を示す図。
【発明を実施するための形態】
【０００８】
以下添付図面を参照しながら、本発明の実施の形態について説明し、本発明の理解に供する。なお、以下の実施の形態は、本発明を具体化した一例であって、本発明の技術的範囲を限定する性格のものではない。
【０００９】
＜複合機１０の概略構成＞
まず、図１を参照しつつ、本発明の実施の形態に係る複合機１０の概略構成について説明する。なお、図１（Ａ）は、前記複合機１０の模式断面図、図１（Ｂ）は、図１（Ａ）におけるＡ−Ａ矢視図である。
前記複合機１０は、画像読取部１、ＡＤＦ２、画像形成部３、給紙カセット４、制御部５、及び操作表示部６などを備えた画像形成装置である。前記操作表示部６は、前記制御部５からの制御指示に従って各種の情報を表示し、前記制御部５に対して各種の情報を入力するタッチパネルなどである。なお、前記複合機１０において、前記画像読取部１、前記ＡＤＦ２及び前記制御部５が本発明に係る画像読取装置を構成する。また、本発明は、スキャナー、ファクシミリ装置、及びコピー機などの画像読取装置又は画像形成装置に適用可能である。
【００１０】
前記制御部５は、ＣＰＵ、ＲＯＭ、ＲＡＭ、ＥＥＰＲＯＭなどの制御機器を有するコンピューターである。そして、前記制御部５は、前記ＲＯＭに予め記憶された各種の制御プログラムを前記ＣＰＵで実行することにより前記複合機１０を統括的に制御する。また、前記ＲＡＭは揮発性の記憶手段、前記ＥＥＰＲＯＭは不揮発性の記憶手段であって、前記ＣＰＵが実行する各種の処理の一時記憶メモリ又は画像メモリとして使用される。なお、前記制御部５は、集積回路（ＡＳＩＣ、ＤＳＰ）などの電子回路で構成されたものであってもよく、前記複合機１０を統括的に制御するメイン制御部と別に設けられた制御部であってもよい。
また、前記制御部５の前記ＲＯＭには、前記制御部５の前記ＣＰＵに後述の画像読取処理（図４のフローチャート参照）を実行させるための画像読取プログラムが予め記憶されている。なお、前記画像読取プログラムは、ＣＤ、ＤＶＤ、フラッシュメモリなどのコンピューター読み取り可能な記録媒体に記録されており、前記記録媒体から前記制御部５の前記ＥＥＰＲＯＭ又は不図示のハードディスクなどの記憶手段にインストールされてもよい。本発明は、前記複合機１０で前記画像読取処理の各処理手順を実行する方法、前記制御部５に前記画像読取処理の各処理手順を実行させるための画像読取プログラム、又は前記画像読取プログラムを記録したコンピューター読み取り可能な記録媒体として捉えてもよい。
【００１１】
前記画像読取部１は、原稿台１１、読取ユニット１２、ミラー１３、１４、光学レンズ１５、ＣＣＤ（Charge  Coupled  Device）１６、及びサイズ検出部１７などを備えた画像読取手段である。
前記原稿台１１は、前記画像読取部１の上面に設けられており、原稿載置面１１１及び搬送読取面１１２を有している。前記原稿載置面１１１は、画像データの読取対象となる原稿が載置される透光性を有するコンタクトガラスである。前記搬送読取面１１２は、前記ＡＤＦ２により搬送される原稿に対して前記読取ユニット１２から照射される光を透過する搬送読取用ガラスである。
前記読取ユニット１２は、ＬＥＤ光源１２１及びミラー１２２を備えており、ステッピングモーター等の駆動手段を用いた不図示の移動機構によって副走査方向７１（図１（Ａ）における左右方向）へ移動可能に構成されている。そして、前記駆動手段により前記読取ユニット１２が前記副走査方向７１に移動されると、前記ＬＥＤ光源１２１から前記原稿台１１上に照射される光が前記副走査方向７１に走査される。
前記ＬＥＤ光源１２１は、主走査方向７２（図１（Ａ）における奥行き方向）に沿って配列された多数の白色ＬＥＤを備えている。そして、前記ＬＥＤ光源１２１は、前記原稿台１１の前記原稿載置面１１１又は前記搬送読取面１１２を透過させて原稿に前記主走査方向７２の１ライン分の白色光を照射する。前記ＬＥＤ光源１２１による光の照射位置が前記画像読取部１による画像データの読取位置であり、前記読取位置は前記読取ユニット１２の前記副走査方向７１の移動に伴って前記副走査方向７１に移動する。具体的に、前記読取ユニット１２は、前記原稿載置面１１１に載置された原稿から画像データを読み取る際には前記ＬＥＤ光源１２１の光が前記原稿載置面１１１を通過する位置に移動される。また、前記ＡＤＦ２によって搬送される原稿から画像データを読み取る際には、前記読取ユニット１２は前記ＬＥＤ光源１２１の光が前記搬送読取面１１２を通過する位置に移動される。
前記ミラー１２２は、前記ＬＥＤ光源１２１から前記読取位置にある原稿に光が照射されたときの反射光を前記ミラー１３に向けて反射させる。そして、前記ミラー１２２で反射した光は、前記ミラー１３及び前記ミラー１４によって前記光学レンズ１５に導かれる。前記光学レンズ１５は、入射した光を集光して前記ＣＣＤ１６に入射させる。
前記ＣＣＤ１６は、受光した光をその光量に応じた電気信号（電圧）に変換し、画像データとして出力する光電変換素子である。そして、前記ＣＣＤ１６は、前記ＬＥＤ光源１２１から光が照射されたときに前記原稿から反射して入射する反射光に基づく電気信号を前記原稿の画像データとして前記制御部５に入力する。このように、前記画像読取部１では、前記原稿載置面１１１に載置された原稿に前記原稿載置面１１１を透過して光が照射されたときの反射光、又は前記ＡＤＦ２で搬送される原稿に前記搬送読取面１１２を透過して光が照射されたときの反射光に基づいて前記原稿から画像データが読み取られる。
【００１２】
また、前記サイズ検出部１７は、図１（Ｂ）に示すように、前記原稿載置面１１１の下方に設けられた複数の光学センサー１７１〜１７６を備えている。前記光学センサー１７１〜１７６は、前記原稿載置面１１１に載置された原稿の前記副走査方向７１の長さ（以下、「用紙長さ」という）を検出するために設けられた反射式の光学センサーである。具体的に、前記光学センサー１７１〜１７６は、Ｂ５縦、Ａ４縦、Ｂ５横、Ａ４横、Ｂ４横、Ａ３横のサイズに対応する前記副走査方向７１の位置に配置されており、それぞれの位置において原稿の有無を検出する。前記サイズ検出部１７による検出結果は前記制御部５に入力される。これにより、前記制御部５は、前記サイズ検出部１７による検出結果に基づいて、前記原稿載置面１１１に載置された原稿の用紙長さを検出することが可能である。なお、前記制御部５が、前記画像読取部１で読み取られる原稿の画像データに基づいて前記原稿の用紙長さを判別することも考えられる。
さらに、前記制御部５は、前記原稿載置面１１１に載置された原稿の前記主走査方向７２の幅（以下、「用紙幅」という）を検出する機能を備えている。例えば、前記制御部５は、前記原稿載置面１１１上の読取開始位置で前記ＬＥＤ光源１２１を点灯させたときに前記ＣＣＤ１６に入射する光に基づいて前記原稿載置面１１１に載置された原稿の前記主走査方向７２の幅を検出する。なお、複数の原稿サイズの用紙幅に対応する前記主走査方向７２の位置にそれぞれ光学センサーが設けられており、前記制御部５が前記光学センサーの検出結果に応じて前記原稿の用紙幅を判別することも考えられる。
【００１３】
前記画像形成部３は、前記画像読取部１で読み取られた画像データ、又は外部のパーソナルコンピューター等の情報処理装置から入力された画像データに基づいて画像形成処理（印刷処理）を実行する電子写真方式の画像形成手段である。
具体的に、前記画像形成部３は、感光体ドラム３１、帯電装置３２、露光装置（ＬＳＵ）３３、現像装置３４、転写ローラー３５、除電装置３６、定着ローラー３７、及び加圧ローラー３８などを備えている。そして、前記画像形成部３では、前記給紙カセット４から供給される用紙に以下の手順で画像が形成される。
まず、前記帯電装置３２によって前記感光体ドラム３１が所定の電位に一様に帯電される。次に、前記露光装置３３により前記感光体ドラム３１の表面に画像データに基づく光が照射される。これにより、前記感光体ドラム３１の表面に画像データに対応する静電潜像が形成される。そして、前記感光体ドラム３１上の静電潜像は前記現像装置３４によってトナー像として現像（可視像化）される。なお、前記現像装置３４には、前記画像形成部３に着脱可能なトナーコンテナ３４Ａからトナー（現像剤）が補給される。続いて、前記感光体ドラム３１に形成されたトナー像は前記転写ローラー３５によって用紙に転写される。その後、用紙に転写されたトナー像は、その用紙が前記定着ローラー３７及び前記加圧ローラー３８の間を通過する際に前記定着ローラー３７で加熱されて溶融定着する。なお、前記感光体ドラム３１の電位は前記除電装置３６で除電される。
【００１４】
次に、図１及び図２を参照しつつ前記ＡＤＦ２について説明する。なお、図２は、前記ＡＤＦ２を簡略化した要部模式図である。
図１に示すように、前記ＡＤＦ２は、原稿セット部２１、複数の搬送ローラー２２、原稿押さえ２３、及び排紙部２４などを備えた原稿搬送部である。前記原稿押さえ２３は、前記搬送読取面１１２の上方に原稿が通過できる間隔を隔てた位置に設けられている。
そして、前記ＡＤＦ２は、前記搬送ローラー２２各々が不図示のモーターで駆動されることにより、前記原稿セット部２１の原稿を前記画像読取部１による画像データの読取位置を通過させて前記排紙部２４まで搬送する。より具体的に、前記ＡＤＦ２では、図２に示すように、前記原稿セット部２１の原稿が前記原稿押さえ２３に隣接した開口２３Ａを経て前記原稿押さえ２３及び前記搬送読取面１１２の間に搬送される。その後、前記原稿は、前記原稿押さえ２３に隣接した開口２３Ｂを経て前記排紙部２４に搬送される。これにより、前記画像読取部１では、前記ＡＤＦ２により搬送される原稿に前記読取ユニット１２から前記搬送読取面１１２を透過して光を照射することにより前記原稿から画像データを読み取ることが可能である。
【００１５】
また、図２に示すように、前記ＡＤＦ２は、前記原稿台１１の前記原稿載置面１１１及び前記搬送読取面１１２に対して開閉可能に支持されており、前記原稿台１１のカバー部材を兼ねている。そして、前記ＡＤＦ２の下面には、前記原稿台１１の前記原稿載置面１１１に対向する色基準面２５と、前記原稿台１１の前記搬送読取面１１２に対向する色基準面２６とが設けられている。
前記色基準面２５は、前記原稿載置面１１１に載置された原稿から前記画像読取部１で画像データを読み取る際に、例えば原稿の境界を判定するために用いられる白色面である。前記色基準面２６は、前記原稿押さえ２３の下面であり、前記搬送読取面１１２に搬送される原稿から前記画像読取部１で画像データを読み取る際に、例えば原稿の境界を判定するために用いられる白色面である。また、前記制御部５は、例えば前記色基準面２５から読み取られる白色画像データに基づいてシェーディング補正又はガンマ補正などの各種の画像処理を実行する。
【００１６】
そして、前記色基準面２６には、前記色基準面２６の下地色である白色とは異なる予め定められた黒色の部分領域２７が設けられている。前記部分領域２７の形状は、例えば図２に示すように矩形である。なお、前記部分領域２７の形状は、例えば円形又はラインであってもよい。また、前記部分領域２７は、高濃度である黒色に限らず、前記色基準面２６の下地色と異なる灰色などの予め定められた濃度の着色領域であってもよい。具体的に、前記部分領域２７には、前記色基準面２６から読み取られる画像データにおいて前記色基準面２６の下地色と前記部分領域２７との濃度差が前記ＡＤＦ２の開閉の程度に応じて変化するように予め定められた着色が施されていればよい。
また、前記部分領域２７は、前記ＡＤＦ２により搬送可能な原稿の最小サイズの範囲内に対応する位置に設けられている。具体的に、前記ＡＤＦ２が原稿を中央寄せで搬送する構成である場合、前記部分領域２７は、図２に示すように前記ＡＤＦ２により搬送される原稿の用紙幅方向の中央部に対応する位置に配置される。これにより、前記ＡＤＦ２を用いて原稿から画像データが読み取られる際、前記部分領域２７が原稿で隠れるため、前記部分領域２７が前記原稿の画像データとして読み取られない。なお、前記ＡＤＦ２が原稿を上端寄せ又は下端寄せで搬送する構成では、前記部分領域２７が前記ＡＤＦ２により搬送される原稿の用紙幅方向の上端又は下端に対応する位置に配置される。
また、前記複合機１０では、前記色基準面２６に前記部分領域２７が設けられているため、前記原稿台１１の裏面における前記原稿載置面１１１及び前記搬送読取面１１２の間の領域に、白色基準データの読み取りに用いられる白色面が設けられる。これにより、前記制御部５は、前記搬送読取面１１２に搬送される原稿から前記画像読取部１で画像データを読み取る際には、前記白色面から読み取った白色画像データに基づいてシェーディング補正又はガンマ補正などの各種の画像処理を実行することが可能である。もちろん、前記色基準面２６において、前記ＡＤＦ２により搬送可能な原稿の最大サイズの範囲外の位置であって前記画像読取部１で読み取り可能な位置に、前記部分領域２７が設けられていてもよい。この場合、前記制御部５は、例えば前記色基準面２６から読み取られる白色画像データに基づいてシェーディング補正又はガンマ補正などの各種の画像処理を実行することが可能である。
【００１７】
ところで、前記複合機１０では、図２に示すように、複数枚の用紙が中央で綴じられた本などの厚みのあるブック原稿Ｐ１から画像データを読み取る際には、前記原稿載置面１１１に載置された前記ブック原稿Ｐ１の中央部Ｐ２に浮き上がりが生じる。この場合、図３に示すように、前記画像読取部１によって前記ブック原稿Ｐ１から読み取られた画像データＰ１１では、前記ブック原稿Ｐ１の前記中央部Ｐ２に対応する領域Ｐ１２に黒色の帯状画像が現れる。
これに対し、前記複合機１０では、前記制御部５が、後述の画像読取処理（図４参照）を実行することにより、前記原稿載置面１１１に載置された原稿がブック原稿であるか否かを判定する。そして、前記原稿がブック原稿であると判定した場合、前記制御部５は、前記ブック原稿から読み取られる画像データから黒色の帯状画像を消去する。
【００１８】
＜画像読取処理＞
以下、図４を参照しつつ、前記制御部５によって実行される画像読取処理の手順の一例について説明する。ここに、ステップＳ１、Ｓ２、・・・は前記制御部５により実行される処理手順（ステップ）の識別番号を表している。
当該画像読取処理は、前記原稿載置面１１１上に原稿が載置された状態で、前記操作表示部６に対する画像読取開始操作が行われた場合、又はパソコンなどの情報処理装置から画像読取開始要求を受信した場合に前記制御部５によって実行される。なお、前記ＡＤＦ２を用いた画像読取処理については従来と同様であるため説明を省略する。
【００１９】
［ステップＳ１］
まず、ステップＳ１において、前記制御部５は、前記画像読取部１により前記搬送読取面１１２に対向する前記色基準面２６から画像データを読み取る画像読取処理を実行する。ここに、前記ステップＳ１が読取制御ステップに相当し、前記ステップＳ１を実行するときの前記制御部５が読取制御手段に相当する。
具体的に、前記制御部５は、前記画像読取部１の読取位置が前記搬送読取面１１２に位置するように前記読取ユニット１２を移動させ、前記読取ユニット１２から前記色基準面２６に光を照射させることにより前記色基準面２６から画像データを読み取る。このとき、前記画像読取部１は、例えば前記色基準面２６の前記主走査方向７２の１ライン分の画像データを読み取る。以下、前記色基準面２６から読み取られる画像データを色基準画像データと称する。なお、前記読取ユニット１２の待機位置（ホームポジション）が、前記搬送読取面１１２から原稿の画像データの読取可能な位置である場合、前記制御部５は前記読取ユニット１２を移動させる必要はない。
【００２０】
［ステップＳ２］
前記ステップＳ１の画像読取処理が終了すると、続くステップＳ２において、前記制御部５は、前記画像読取部１により前記原稿載置面１１１に載置された原稿から画像データを読み取る画像読取処理を開始する。
具体的に、前記制御部５は、前記画像読取部１の読取位置が前記原稿載置面１１１の読取開始位置に位置するように前記読取ユニット１２を移動させる。そして、前記制御部５は、前記読取ユニット１２を前記副走査方向７１に移動させつつ前記読取ユニット１２から前記原稿載置面１１１に載置された原稿に光を照射させることにより前記原稿から画像データを読み取る。以下、前記原稿から読み取られる画像データを原稿画像データと称する。
【００２１】
［ステップＳ３］
次に、ステップＳ３において、前記制御部５は、前記ステップＳ１で読み取られた前記色基準画像データに前記部分領域２７が存在するか否かを判断する。具体的に、前記ＡＤＦ２が開放された状態では、前記読取ユニット１２から照射された光が前記色基準面２６で反射しないため、前記色基準画像データは概ね均一な黒色画像となり、最高濃度及び最低濃度の濃度差が小さくなる。そこで、前記制御部５は、前記色基準画像データの最高濃度及び最低濃度の濃度差が予め設定された下限値以上である場合に、前記部分領域２７が存在すると判定する。
前記ステップＳ３において、前記部分領域２７が存在すると判断すると（Ｓ３のＹｅｓ側）、前記制御部５は処理をステップＳ４に移行させる。一方、前記ステップＳ３において、前記部分領域２７が存在しないと判断すると（Ｓ３のＮｏ側）、前記制御部５は前記ＡＤＦ２が開放されていると判断し、処理をステップＳ５に移行させる。
【００２２】
［ステップＳ４］
ステップＳ４において、前記制御部５は、前記ステップＳ１で読み取られた前記色基準画像データにおける前記部分領域２７の濃度と前記色基準面２６の濃度との濃度差が予め設定された閾値以下であるか否かを判断する。
例えば、前記制御部５は、前記色基準画像データの最高濃度及び最低濃度の濃度差を、前記部分領域２７の濃度と前記色基準面２６の濃度との濃度差として算出する。なお、前記色基準面２６における前記部分領域２７の位置は原稿の用紙サイズに応じて既知であるため、前記制御部５が、前記部分領域２７に対応する画像データの平均値とその他の領域に対応する画像データの平均値との濃度差を算出することも他の実施形態として考えられる。
ここで、前記閾値は、前記ＡＤＦ２の開度を判断するための指標として予め設定された値である。例えば、前記閾値は、前記ＡＤＦ２の開度が２０°である状態で前記色基準画像データを読み取った場合に生じる前記部分領域２７の濃度と前記色基準面２６の濃度との濃度差として実験又はシミュレーションにより得られた値である。これにより、前記ステップＳ４では、前記ＡＤＦ２が２０°以上開かれることになるブック原稿が前記原稿載置面１１１に載置されているか否かを判断することができる。なお、前記ブック原稿であるか否かを判断するための前記ＡＤＦ２の開度は１０°又は３０°など、予め任意に決定すればよい。
そして、前記ステップＳ４において、前記濃度差が前記閾値以下であると判断すると（Ｓ４のＹｅｓ側）、前記制御部５は処理をステップＳ５に移行させる。一方、前記ステップＳ４において、前記濃度差が前記閾値より大きいと判断すると（Ｓ４のＮｏ側）、処理をステップＳ４１に移行させる。
【００２３】
ここに、図５は、前記ステップＳ１で読み取られた前記色基準画像データの一部を示す図であり、（Ａ）は前記ＡＤＦ２が閉じた状態、（Ｂ）は前記ＡＤＦ２が少し開いた状態、（Ｃ）は前記ＡＤＦ２が大きく開いた状態で読み取られた前記色基準画像データの一例である。
図５（Ａ）に示すように、前記ＡＤＦ２が閉じられた状態では、前記色基準画像データにおいて前記部分領域２７に対応する領域Ａ１と前記色基準面２６の下地に対応する領域Ａ２との間に生じる濃度差Ｄ１が大きい。一方、前記ＡＤＦ２が少し開かれると、図５（Ｂ）に示すように前記濃度差Ｄ１が小さくなり、さらに前記ＡＤＦ２が大きく開かれると、図５（Ｃ）に示すように前記濃度差Ｄ１がさらに小さくなる。そのため、前記制御部５は、前述したように前記濃度差Ｄ１の値が前記閾値以下であるか否かを判断することにより前記ＡＤＦ２の開度を判断し、前記原稿載置面１１１に載置された原稿が厚みのあるブック原稿であるか否かを判定することが可能である。
【００２４】
［ステップＳ４１〜Ｓ４２］
前記濃度差が前記閾値より大きい場合、続くステップＳ４１において、前記制御部５は、前記原稿載置面１１１に載置された原稿がブック原稿ではないと判定する。そして、ステップＳ４２において、前記制御部５は、ブック原稿ではない通常原稿に対応する従来周知の画像処理を実行する。なお、前記画像処理は、例えば前記原稿画像データに対して行われるシェーディング補正及びガンマ補正などである。
【００２５】
［ステップＳ５］
一方、前記濃度差が前記閾値以下である場合、続くステップＳ５において、前記制御部５は、前記ステップＳ２で開始された前記原稿画像データの画像読取処理が終了するまで処理を待機させる（Ｓ５のＮｏ側）。そして、前記制御部５は、前記画像読取処理が終了すると（Ｓ５のＹｅｓ側）、処理をステップＳ６に移行させる。
【００２６】
［ステップＳ６］
ステップＳ６において、前記制御部５は、前記原稿画像データに基づいて、前記原稿画像データの中央部に予め設定された黒色の帯状画像が存在するか否かを判断する。具体的に、前記制御部５は、前記原稿画像データを前記主走査方向７２の１ライン毎に平均化する。なお、前記制御部５は、前記サイズ検出部１７によって検出される原稿の用紙長さから前記中央部の位置を判断することが可能である。そのため、前記原稿画像データの平均化の対象は、前記原稿画像データの前記副走査方向７１における前記中央部の領域のみであることも考えられる。この場合、前記制御部５は、前記中央部の領域の前記原稿画像データが読み取られたときに、前記ステップＳ６の処理を前記画像読取処理と並行して実行することも考えられる。
ここに、図６（Ａ）は、前記原稿載置面１１１に載置されたブック原稿から読み取られた前記原稿画像データを前記主走査方向７２の１ライン毎に平均化した平均化データの一例を示す図である。図６（Ａ）に示すように、前記平均化データでは、前記ブック原稿の中央部に生じる黒色の帯状画像に対応して、高濃度のラインが前記副走査方向７１に連続する領域Ｄ２が含まれる。
そこで、前記制御部５は、例えば前記平均化データにおいて予め設定された高濃度のラインが所定数以上連続した場合に黒色の帯状画像が存在すると判断することが可能である。また、前記制御部５は、前記平均化データにおける予め設定された所定領域内に予め設定された高濃度のラインが所定数以上存在する場合に黒色の帯状画像が存在すると判断することも可能である。
そして、前記ステップＳ６において、前記原稿画像データに黒色の帯状画像が存在すると判断すると（Ｓ６のＹｅｓ側）、前記制御部５は処理をステップＳ７に移行させる。一方、前記ステップＳ６において、前記原稿画像データに黒色の帯状画像が存在しないと判断すると（Ｓ６のＮｏ側）、前記制御部５は処理を前記ステップＳ４１に移行させる。
【００２７】
［ステップＳ７］
ステップＳ７において、前記制御部５は、前記原稿載置面１１１に載置された原稿がブック原稿であると判定する。即ち、前記画像読取処理において、前記制御部５は、前記濃度差が前記閾値以下であり、且つ前記原稿画像データに黒色の帯状画像が存在する場合に、前記原稿載置面１１１に載置された原稿がブック原稿であると判定する。ここに、係る処理が原稿判定ステップに相当し、係る処理を実行するときの前記制御部５が原稿判定手段に相当する。
【００２８】
［ステップＳ８］
そして、ステップＳ８において、前記制御部５は、ブック原稿に対応する予め設定された画像処理を実行する。具体的に、前記画像処理において、前記制御部５は、前記原稿画像データに含まれた黒色の帯状画像の画像データを、予め設定された白色に対応する濃度の画像データに置換する置換処理を実行する。これにより、前記ブック原稿から読み取られた前記原稿画像データでは黒色の帯状画像が消去される。ここに、前記置換処理を実行するときの前記制御部５が濃度置換手段に相当する。
なお、前記ステップＳ８における前記画像処理では、前記原稿画像データの中央部の画像データを白色濃度に置換することに限らず、例えば前記中央部の画像データから予め設定された濃度値を引くことも考えられる。また、前記黒色の帯状画像が全て消去されると、前記ブック原稿に含まれた見開きページの境界が不明になるため、前記制御部５が前記黒色の帯状画像を消去する際に、前記サイズ検出部１７で検出された用紙長さの中心の位置に境界線を残すことも考えられる。
【００２９】
以上説明したように、前記複合機１０では、前記原稿載置面１１１に載置された原稿がブック原稿であるか否かを、特別なセンサーを用いることなく前記画像読取部１で読み取られる画像データに基づいて前記制御部５によって判定される。そして、前記複合機１０では、前記原稿載置面１１１に載置された原稿がブック原稿である場合に、黒色の帯状画像が消去された前記原稿画像データを得ることができる。
また、前記複合機１０では、前記色基準部２６の濃度と前記部分領域２７の濃度との濃度差をブック原稿であるか否かの判断指標として用いている。そのため、太陽光又は室内照明などの外乱光の影響を受ける使用環境であっても、その外乱光の影響を排除して前記ＡＤＦ２の開度を判断することが可能である。
【００３０】
なお、前記実施の形態では、前記制御部５が、前記ステップＳ４で前記濃度差が前記閾値以下であると判断され、且つ前記ステップＳ６で前記原稿画像データに黒色の帯状画像が存在すると判断された場合に、原稿がブック原稿であると判定する構成を説明した。一方、前記制御部５が、前記ステップＳ６の処理を省略し、前記ステップＳ４で前記濃度差が前記閾値以下であると判断された場合に、原稿がブック原稿であると判定することも他の実施形態として考えられる。このような処理も原稿判定ステップの一例であり、係る処理を実行するときの前記制御部５も原稿判定手段の一例である。
また、前記実施の形態では、前記部分領域２７が前記搬送読取面１１２に対向する前記色基準面２６に設けられている場合を例に挙げて説明した。一方、前記部分領域２７は、前記原稿載置面１１１に対向する前記色基準面２５に設けられていることも他の実施形態として考えられる。なお、この場合、前記部分領域２７は、前記原稿載置面１１１を使用して読み取り可能なサイズとして予め定められた原稿の最大サイズの範囲外の位置であって前記画像読取部１で読み取り可能な位置に設けられる。また、この場合、前記複合機１０が、前記ＡＤＦ２に代えて、前記原稿載置面１１１に対して開閉可能なカバー部材を備え、前記カバー部材に前記色基準面２５及び前記部分領域２７が設けられる構成も考えられる。
【符号の説明】
【００３１】
１  ：画像読取部（画像読取手段の一例）
２  ：ＡＤＦ（原稿搬送部の一例）
３  ：画像形成部（画像形成手段の一例）
４  ：給紙カセット
５  ：制御部
６  ：操作表示部
１０：複合機（画像読取装置の一例）
１１：原稿台
１１１：原稿載置面
１１２：搬送読取面
１２：読取ユニット
１３、１４：ミラー
１５：光学レンズ
１６：ＣＣＤ
１７：サイズ検出部
２１：原稿セット部
２２：搬送ローラー
２３：原稿押さえ
２３Ａ、２３Ｂ：開口
２４：排紙部
２５、２６：色基準面
２７：部分領域
７１：副走査方向
７２：主走査方向
Ｐ１：ブック原稿
Ｐ２：中央部
Ｓ１、Ｓ２、・・・：処理手順（ステップ）番号
【図１】
2014165715.tif 000003
【図２】
2014165715.tif 000004
【図３】
2014165715.tif 000005
【図４】
2014165715.tif 000006
【図５】
2014165715.tif 000007
【図６】
2014165715.tif 000008